【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
印刷ジョブを蓄積する蓄積手段と、
前記蓄積手段に蓄積された印刷ジョブを認証に基づく転送要求に応じて印刷装置に転送し、当該印刷ジョブの状態を印刷保留状態から印刷指示状態に変更する転送手段と、
前記転送手段により転送した印刷ジョブの前記印刷装置における印刷処理を監視する監視手段と、
前記監視手段により前記印刷装置における前記転送手段により転送した前記印刷ジョブの印刷処理が中断されたと検知された場合は、前記印刷装置に対して前記印刷処理の中止を指示し、当該印刷ジョブの状態を前記印刷指示状態から前記印刷保留状態に復帰させるように制御する印刷制御手段と
を具備する印刷制御装置。
【請求項２】
前記監視手段は、
前記転送手段により印刷ジョブを転送した後、所定の時間以内に前記印刷装置における印刷処理が完了しない場合に該印刷ジョブの印刷処理が中断されたと検知する請求項１記載の印刷制御装置。
【請求項３】
前記監視手段は、
前記転送手段により印刷ジョブを転送した後、前記印刷装置から管理情報を取得して該管理情報に基づき該印刷ジョブの印刷処理が中断されたと検知する請求項１または２記載の印刷制御装置。
【請求項４】
前記印刷制御手段は、
前記印刷装置における印刷処理が中断されたと検出された場合、前記転送手段により転送した印刷ジョブのうち前記中断した印刷ジョブの印刷処理の中止を前記印刷装置に指示する請求項１記載の印刷制御装置。
【請求項５】
前記印刷制御手段は、
前記印刷装置における印刷処理が中断されたと検出された場合、前記転送手段により転送した印刷ジョブのうち印刷処理が完了していない全ての印刷ジョブの印刷処理の中止を前記印刷装置に指示する請求項１記載の印刷制御装置。
【請求項６】
前記印刷装置によって印刷処理が完了した印刷ジョブを、前記蓄積手段から削除する削除手段
を更に具備する請求項１記載の印刷制御装置。
【請求項７】
前記印刷ジョブの処理状態を示す情報を表示器に表示する表示制御手段
を更に具備する請求項１記載の印刷制御装置。
【請求項８】
印刷ジョブを蓄積して管理する管理装置と、
前記管理装置に蓄積された印刷ジョブの転送を受けて該印刷ジョブの印刷処理を実行する印刷装置と
を具備し、
前記印刷装置は、
認証に基づき前記管理装置に対して、該認証に係わる印刷ジョブの転送要求を送信する送信手段
を具備し、
前記管理装置は、
前記印刷装置からの転送要求に応じて前記印刷ジョブを当該印刷装置に転送し、当該印刷ジョブの状態を印刷保留状態から印刷指示状態に変更する転送手段と、
前記転送手段により転送した印刷ジョブの前記印刷装置における印刷処理状態を監視する監視手段と、
前記監視手段により前記印刷装置における前記印刷ジョブの印刷処理が中断されたと検知された場合は、前記印刷装置に対して前記印刷処理の中止を指示し、当該印刷ジョブを前記印刷指示状態から前記印刷保留状態に復帰させ、当該印刷ジョブの印刷処理が完了したと検知されたときに当該印刷ジョブを削除する印刷制御手段と
を具備する認証印刷システム。
【請求項９】
印刷ジョブを蓄積して管理する管理装置と、
前記管理装置に蓄積された印刷ジョブの転送を受けて該印刷ジョブの印刷処理を実行する印刷装置と
を具備し、
前記印刷装置は、
認証に基づき前記管理装置に対して、該認証に係わる印刷ジョブの転送要求を送信する送信手段と、
前記印刷ジョブの印刷処理が中断されたと検知した場合は、当該印刷ジョブに対する印刷処理を中止するとともに、その旨を前記管理装置に通知する中止制御手段と
を具備し、
前記管理装置は、
前記印刷装置からの転送要求に応じて前記印刷ジョブを当該印刷装置に転送し、当該印刷ジョブの状態を印刷保留状態から印刷指示状態に変更する転送手段と、
前記印刷装置から印刷処理を中止した旨の通知を受信した場合は、当該印刷ジョブを前記印刷指示状態から前記印刷保留状態に復帰させる印刷制御手段と
を具備する認証印刷システム。
【請求項１０】
コンピュータに、
記憶部に蓄積された印刷ジョブを認証に基づく転送要求に応じて印刷装置に転送し、当該印刷ジョブの状態を印刷保留状態から印刷指示状態に変更する転送ステップと、
前記印刷装置に転送した印刷ジョブの印刷処理状態を監視する監視ステップと、
前記印刷装置における前記転送ステップにより転送した前記印刷ジョブの印刷処理が中断されたと検知された場合は、前記印刷装置に対して前記印刷処理の中止を指示し、当該印刷ジョブの状態を前記印刷指示状態から前記印刷保留状態に復帰させるように制御する印刷制御ステップと
を実行させるための印刷制御プログラム。
【手続補正２】
【補正対象書類名】明細書
【補正対象項目名】００１１
【補正方法】変更
【補正の内容】
【００１１】
上記目的を達成するため、請求項１の発明の印刷制御装置は、印刷ジョブを蓄積する蓄積手段と、前記蓄積手段に蓄積された印刷ジョブを認証に基づく転送要求に応じて印刷装置に転送し、当該印刷ジョブの状態を印刷保留状態から印刷指示状態に変更する転送手段と、前記転送手段により転送した印刷ジョブの前記印刷装置における印刷処理を監視する監視手段と、前記監視手段により前記印刷装置における前記転送手段により転送した前記印刷ジョブの印刷処理が中断されたと検知された場合は、前記印刷装置に対して前記印刷処理の中止を指示し、当該印刷ジョブの状態を前記印刷指示状態から前記印刷保留状態に復帰させるように制御する印刷制御手段とを具備する。
【手続補正３】
【補正対象書類名】明細書
【補正対象項目名】００１６
【補正方法】変更
【補正の内容】
【００１６】
また、請求項６の発明は、請求項１の発明において、前記印刷装置によって印刷処理が完了した印刷ジョブを、前記蓄積手段から削除する削除手段を更に具備する。
【手続補正４】
【補正対象書類名】明細書
【補正対象項目名】００１８
【補正方法】変更
【補正の内容】
【００１８】
また、請求項８の発明の認証印刷システムは、印刷ジョブを蓄積して管理する管理装置と、前記管理装置に蓄積された印刷ジョブの転送を受けて該印刷ジョブの印刷処理を実行する印刷装置とを具備し、前記印刷装置は、認証に基づき前記管理装置に対して、該認証に係わる印刷ジョブの転送要求を送信する送信手段を具備し、前記管理装置は、前記印刷装置からの転送要求に応じて前記印刷ジョブを当該印刷装置に転送し、当該印刷ジョブの状態を印刷保留状態から印刷指示状態に変更する転送手段と、前記転送手段により転送した印刷ジョブの前記印刷装置における印刷処理状態を監視する監視手段と、前記監視手段により前記印刷装置における前記印刷ジョブの印刷処理が中断されたと検知された場合は、前記印刷装置に対して前記印刷処理の中止を指示し、当該印刷ジョブを前記印刷指示状態から前記印刷保留状態に復帰させ、当該印刷ジョブの印刷処理が完了したと検知されたときに当該印刷ジョブを削除する印刷制御手段とを具備する。
【手続補正５】
【補正対象書類名】明細書
【補正対象項目名】００１９
【補正方法】変更
【補正の内容】
【００１９】
また、請求項９の発明の認証印刷システムは、印刷ジョブを蓄積して管理する管理装置と、前記管理装置に蓄積された印刷ジョブの転送を受けて該印刷ジョブの印刷処理を実行する印刷装置とを具備し、前記印刷装置は、認証に基づき前記管理装置に対して、該認証に係わる印刷ジョブの転送要求を送信する送信手段と、前記印刷ジョブの印刷処理が中断されたと検知した場合は、当該印刷ジョブに対する印刷処理を中止するとともに、その旨を前記管理装置に通知する中止制御手段とを具備し、前記管理装置は、前記印刷装置からの転送要求に応じて前記印刷ジョブを当該印刷装置に転送し、当該印刷ジョブの状態を印刷保留状態から印刷指示状態に変更する転送手段と、前記印刷装置から印刷処理を中止した旨の通知を受信した場合は、当該印刷ジョブを前記印刷指示状態から前記印刷保留状態に復帰させる印刷制御手段とを具備する。
【手続補正６】
【補正対象書類名】明細書
【補正対象項目名】００２０
【補正方法】変更
【補正の内容】
【００２０】
また、請求項１０の発明の印刷制御プログラムは、  コンピュータに、記憶部に蓄積された印刷ジョブを認証に基づく転送要求に応じて印刷装置に転送し、当該印刷ジョブの状態を印刷保留状態から印刷指示状態に変更する転送ステップと、前記印刷装置に転送した印刷ジョブの印刷処理状態を監視する監視ステップと、前記印刷装置における前記転送ステップにより転送した前記印刷ジョブの印刷処理が中断されたと検知された場合は、前記印刷装置に対して前記印刷処理の中止を指示し、当該印刷ジョブの状態を前記印刷指示状態から前記印刷保留状態に復帰させるように制御する印刷制御ステップとを実行させる。